(57)【要約】【課題】箱詰めされる食品容器等の割れやきずつきの発生を防止するための安価なクラッキング防止カバーを提供する。【解決手段】弾発性を有する素材からなり、平坦部１と、該平坦部１の周縁に形成される周壁部２とを備え、容器３相互の接触を防止するために該容器３の蓋体４又は容器本体５に被嵌させて使用するクラッキング防止カバーＣ１であって、周壁部２には、容器３の蓋体４又は容器本体５に外れ止め状に係止する外れ止め用係止部６と、容器３相互間の接触を防止するための接触防止用緩衝部７と、を設け、その接触防止用緩衝部７は、外れ止め用係止部６が蓋体４又は容器本体５に外れ止め状に係止したときに蓋体４及び容器本体５よりも外側に突出するように形成される。【選択図】図３
2007197035.tif 000002
【特許請求の範囲】
【請求項１】
弾発性を有する素材からなり、平坦部と、該平坦部の周縁に形成される周壁部とを備え、容器相互の接触による割れを防止するために該容器の蓋体又は容器本体に被嵌させて使用するクラッキング防止カバーであって、
前記周壁部には、前記容器の蓋体又は容器本体に係止する外れ止め用係止部と、前記容器相互の接触を防止するための接触防止用緩衝部と、を設け、
前記接触防止用緩衝部は、前記外れ止め用係止部が前記容器の蓋体又は容器本体に係止したときに前記蓋体及び容器本体よりも外側に突出するように形成されることを特徴とするクラッキング防止カバー。
【請求項２】
前記接触防止用緩衝部は、連続した凹凸状に形成されることを特徴とする請求項１に記載のクラッキング防止カバー。
【請求項３】
前記接触防止用緩衝部の一部に別の凸部が組み込まれることを特徴とする請求項２に記載のクラッキング防止カバー。
【請求項４】
前記外れ止め用係止部が、前記蓋体又は容器本体に係止するように形成された内向き凸部であることを特徴とする請求項１乃至３の何れかに記載のクラッキング防止カバー。
【請求項５】
前記外れ止め用係止部が、前記蓋体又は容器本体に締まり勝手に係止するように伸縮自在に形成された緊縮係止部であることを特徴とする請求項１乃至４の何れかに記載のクラッキング防止カバー。
【請求項６】
前記平坦部には、前記蓋体及び容器本体の一部を貫通させるための開口が形成され、前記外れ止め用係止部が、前記容器本体の外周に係止されることを特徴とする請求項１乃至５の何れかに記載のクラッキング防止カバー。
【発明の詳細な説明】
【技術分野】
【０００１】
本発明は、例えば贈答用等のために箱詰めされる食品容器等が相互に接触して割れが発生するのを防止するために使用されるクラッキング防止カバーに関する。
【背景技術】
【０００２】
贈答用等に箱詰めされる食品容器等では、例えば、図６に示すように、蓋体４の外径が容器本体５の外径と殆ど差がない場合、図示は省略するが、梱包時には、容器本体５同士間に緩衝材を充填して容器本体５同士が接触して割れたりきずが付いたりするような不具合が発生しないようにしていた。この例では、ガラス製の容器本体５の上部に開口用の把手４ａ付きの金属製の蓋体４が密嵌され、その蓋体４の上に載せたラベルがシール用兼ラベル固定用のアルミ箔４ｂで覆われて固定されていた。また、図示は省略するが、容器同士の接触を防ぐために箱内に入れる格子状に組み付けられた仕切り板も提案されている（例えば、特許文献１参照）。
【特許文献１】特開２００５−８１６９号公報
【発明の開示】
【発明が解決しようとする課題】
【０００３】
しかしながら、上述のように、容器本体５同士間に緩衝材を充填する場合、その充填作業が人手を要して大変面倒であり、そのためにコストを要するだけでなく、梱包が嵩高くなるという問題があった。また、後者のように、箱内に仕切り板を組み入れる場合には、より一層コスト高になっていた。しかも、容器を横一列に並べる場合等には、このような仕切り板を組み入れることができないこともあった。さらに、贈答品等の場合には、緩衝材や仕切り板を箱内に入れると意匠性が損なわれることもあった。
【０００４】
本発明は、このような実情に鑑みてなされ、箱詰めされる食品容器等の割れやきずつきの発生を防止するための安価なクラッキング防止カバーを提供することを目的とする。
【課題を解決するための手段】
【０００５】
（１）本発明のクラッキング防止カバーは、弾発性を有する素材からなり、平坦部と、該平坦部の周縁に形成される周壁部とを備え、容器相互の接触による割れを防止するために該容器の蓋体又は容器本体に被嵌させて使用するクラッキング防止カバーであって、
前記周壁部には、前記容器の蓋体又は容器本体に係止する外れ止め用係止部と、前記容器相互の接触を防止するための接触防止用緩衝部と、を設け、
前記接触防止用緩衝部は、前記外れ止め用係止部が前記容器の蓋体又は容器本体に係止したときに前記蓋体及び容器本体よりも外側に突出するように形成されることを特徴とする。
【０００６】
このような構成によれば、外れ止め用係止部が容器に外れ止め状に係止したときに接触防止用緩衝部が蓋体及び容器本体よりも外側に突出するため、例えば、容器を横に並べても、接触防止用緩衝部によって容器本体同士の接触が防止され、割れやきずつきの発生が防止される。このようなクラッキング防止カバーを透明な樹脂素材等で形成すれば、容器の蓋体又は容器本体に施されたラベルや色彩、模様、図柄等を透視することができるので、意匠性が損なわれることがない。また、そのクラッキング防止カバーは容器の蓋体又は容器本体に被嵌させるので、嵩張ることがない。しかも、このようなクラッキング防止カバーは、内容物の充填工程が終了した時点で梱包前の生産ラインで容器に装着することができるため、梱包時の手間を省くこともできる。また、例えば、素材として熱可塑性の樹脂材を用いれば、一体成形により安価に形成することができる。
【０００７】
（２）前記接触防止用緩衝部は、連続した凹凸状に形成されてもよい。このような凹凸状の接触防止用緩衝部は、例えば、樹脂材の一体成形等により容易に形成することができる。
【０００８】
（３）前記接触防止用緩衝部の一部に別の凸部が組み込まれるようにしてもよい。このようにすれば、別の凸部によって接触防止用緩衝部同士が嵌合し合うことがなくなるため、より効果的に容器本体同士の接触を防止することができる。
【０００９】
（４）前記外れ止め用係止部が、前記蓋体又は容器本体に係止するように形成された内向き凸部であってもよい。このようにすれば、クラッキング防止カバーを安定な状態で容器に被嵌させておくことができ、輸送中等における割れの発生を効果的に防止することができる。
【００１０】
（５）前記外れ止め用係止部が、前記蓋体又は容器本体に締まり勝手に係止するように伸縮自在に形成された緊縮係止部であってもよい。このようにすれば、蓋体又は容器本体に凹部を形成しなくても、クラッキング防止カバーを安定な状態で蓋体又は容器本体に被嵌させておくことができ、輸送中等における割れの発生を効果的に防止することができる。
【００１１】
（６）前記平坦部には、前記蓋体及び容器本体の一部を貫通させるための開口が形成され、前記外れ止め用係止部が、前記容器本体の外周に係止されるようにしてもよい。このようにすれば、蓋体の外径が容器本体の外径よりも小さい場合にも、容器本体同士の接触を効果的に防止することができる。
【発明の効果】
【００１２】
本発明のクラッキング防止カバーは、外れ止め用係止部が容器の蓋体又は容器本体に外れ止め状に係止したときに接触防止用緩衝部が蓋体及び容器本体よりも外側に突出するので、例えば、容器を横に並べても、接触防止用緩衝部によって容器本体同士の接触が防止され、割れやきずつきの発生が防止される。
【発明を実施するための最良の形態】
【００１３】
本発明の実施の形態に係るクラッキング防止カバーを図面を参照しつつ詳細に説明する。
図１（ａ）はクラッキング防止カバーの側面図、（ｂ）は平面図、図２（ａ）はクラッキング防止カバーＣ１を容器３に装着した状態の側面図、（ｂ）は平面図である。図３（ａ) はクラッキング防止カバーＣ１を容器３に装着した状態の要部断面を示す説明図である。これらの図に示すように、このクラッキング防止カバーＣ１は、例えば、ＰＥＴやＰＰ等の弾発性を有する熱可塑性の樹脂材からなり、円板状に形成される平坦部１と、その平坦部１の周縁に立ち上がり状に形成される周壁部２とを備え、容器３相互の接触を防止するために該容器３の蓋体４（又は容器本体５）に被嵌させて使用する。このようなクラッキング防止カバーＣ１は、加熱して軟化させたシート材を金型に対して空気圧によって密着させる成形方法（圧空成形）によって容易かつ安価に製作できるが、本発明は、特に、製作方法を限定するものではない。
【００１４】
容器本体５は、例えば、ガラス製の有底円筒状に形成され、その上部にくびれ部５ａを介して口部（符号省略）が設けられ、該口部に開口用の把手４ａを備えた金属製の蓋体４が密嵌され、この蓋体４の表面にはラベルが印刷されており、この蓋体４に直接クラッキング防止カバーＣ１が被嵌される（シール兼用のアルミ箔は使用されていない）。このクラッキング防止カバーＣ１の周壁部２には（図３（ａ）参照）、容器３の蓋体４に係止する外れ止め用係止部６と、容器３相互間の接触を防止するための接触防止用緩衝部７が設けられており、外れ止め用係止部６は、例えば、周壁部２の内周に内向きの小凸状（内向き凸部）に形成され、容器本体５のくびれ部５ａに嵌まり蓋体４の外周下縁に係止する。
【００１５】
接触防止用緩衝部７は、外れ止め用係止部６が容器３の蓋体４（又は容器本体５）に係止したときに蓋体４及び容器本体５よりも外側に突出するように、例えば、連続した凹凸状に形成される。つまり、その接触防止用緩衝部７の外径Ｄは、容器本体５の外径ｄ（及び蓋体４の外径）よりも大に設定されている（図３（ａ）参照）。そして、その接触防止用緩衝部７に形成される連続した凹凸状の配列の一部に、接触防止用緩衝部７，７同士の嵌合（ブロッキング）を防止するための別の凸部７ａが組み込まれている。
【００１６】
このように構成されるクラッキング防止カバーＣ１は、図２（ａ）及び図３（ａ）に示すように、外れ止め用係止部６が蓋体４に外れ止め状に係止したときには、接触防止用緩衝部７が蓋体４及び容器本体５よりも外側に突出するため、例えば、複数の容器３を横に並べても、接触防止用緩衝部７によって容器本体５同士の接触が防止され、割れやきずつきの発生が防止される。
【００１７】
このようなクラッキング防止カバーＣ１を透明な素材で形成すれば、容器３の蓋体４又は容器本体５に施されたラベルや色彩、模様、図柄等を外部から透視することができるので、意匠性が損なわれることがない。また、そのクラッキング防止カバーＣ１は容器３の蓋体４又は容器本体５に被嵌させるので、嵩張ることがない。しかも、このようなクラッキング防止カバーＣ１は、内容物の充填工程が終了した時点で梱包前の生産ラインで容器３に装着できるため、従来のような梱包時の手間を省くこともできる。
【００１８】
図３（ｂ）に示す例は、容器本体５の外径が蓋体４の外径よりも大きい場合を示し、そのクラッキング防止カバーＣ２の平坦部１には、蓋体４及び容器本体５の一部を貫通させるための開口１ａが形成され、外れ止め用係止部６が、容器本体５の外周に係止されるようにしている。このようにすれば、蓋体４の外径が容器本体５の外径よりもかなり小さい場合にも、容器本体５同士の衝突を効果的に防止することができる。
【００１９】
図３（ｃ）に示す例は、クラッキング防止カバーＣ３を容器本体５の底部に嵌合させるようにした場合を示し、この場合、クラッキング防止カバーＣ３をやや深底に形成して、その外れ止め用係止部６を、容器本体５の外周に締まり勝手に係止するように伸縮自在に形成された緊縮係止部に形成している。その緊縮係止部６は、例えば、二点鎖線で示すように、図示のように、接触防止用緩衝部７に向けて若干絞り込むように先窄まり状に形成して、実線で示すように、容器本体５の外周に密嵌状態に係止させるようにすればよい。このようにすれば、容器本体５に凹部を形成しなくても、クラッキング防止カバーＣ３の素材自体の持つ弾発性により充分な係止状態を得られるが、弾発性（緊縮性）を向上させるためにその緊縮係止部６に襞を形成してもよい。
【００２０】
図４（ａ）（ｂ）は、容器本体５が縦長に形成される場合に、その上下にクラッキング防止カバーＣ１，Ｃ２，Ｃ３を装着した例を示す。図４（ａ）の場合、蓋体４にはクラッキング防止カバーＣ１を装着し、容器本体５の底部には、クラッキング防止カバーＣ３を装着している。図４（ｂ）の場合、容器本体５の肩部には、クラッキング防止カバーＣ２を装着し、容器本体５の底部には、クラッキング防止カバーＣ３を装着している。なお、本発明は、容器３と蓋体４を実施の形態に示すものに限定するのではなく、各種形態に形成されてよく、蓋体４はコルク栓等であってもよい。
【００２１】
図５（ａ) （ｂ）（ｃ）に示す例は、容器本体５の肩部まで覆うようにしたクラッキング防止カバーＣ４を示す。この場合、クラッキング防止カバーＣ４を深絞り成形により深底に形成し、その上部開口に、伸縮自在な緊縮係止部６を内側に若干絞り込むように先窄まり状に形成して容器本体５の肩部に締まり勝手に係止させるようにすると共に、その本体外周に外凸の縦リブ状に形成した接触防止用緩衝部７を所定間隔おきに形成している。その接触防止用緩衝部７を形成する外凸の縦リブは、図５（ｂ）に示すように、波状に折曲されて形成されてもよく、図５（ｃ）に示すように、中実状に形成されてもよい。このようにしても、容器本体５に凹部を形成することなく、クラッキング防止カバーＣ４を容器本体５の肩部に確実に係止させることができ、かつ、充分な緩衝機能を発揮させて容器本体５相互の接触を防ぐことができ、クラッキングを効果的に防止することができる。
【００２２】
なお、本発明は、実施の形態に限定されることなく、発明の要旨を逸脱しない限りにおいて、適宜、必要に応じて、設計変更や改良等を行うのは自由であり、また、各実施の形態間での構成の流用、転用も自由である。例えば、接触防止用緩衝部７は、連続した凹凸状の配列が形成されなくてもよく、平坦な周面状に形成されてもよい。また、容器本体５に外れ止め用係止部６を係止させるための凹部を形成してもよい。また、クラッキング防止カバーＣ１，Ｃ２，Ｃ３，Ｃ４の素材は、意匠性を向上させるため等に着色されていてもよい。
【図面の簡単な説明】
【００２３】
【図１】（ａ）は本発明の実施の形態に係るクラッキング防止カバーの側面図、（ｂ）は平面図である。
【図２】（ａ）は同容器にクラッキング防止カバーを装着した状態の側面図、（ｂ）は平面図である。
【図３】（ａ）は同容器にクラッキング防止カバーを装着した状態の要部断面を示す説明図、（ｂ）は同異なる説明図、（ｃ）は同別の説明図である。
【図４】（ａ）は同容器に一対のクラッキング防止カバーを装着した状態の要部断面を示す説明図、（ｂ）は同異なる説明図である。
【図５】（ａ）は同容器にさらに別のクラッキング防止カバーを装着した状態の要部断面を示す説明図、（ｂ）は（ａ) のＡ−Ａ線矢視断面図、（ｃ）はさらに異なるクラッキング防止カバーのＡ−Ａ線矢視相当断面図である。
【図６】従来の食品容器の側面図である。
【符号の説明】
【００２４】
１…平坦部、１ａ…開口、２…周壁部、３…容器、４…蓋体、５…容器本体、６…外れ止め用係止部、７…接触防止用緩衝部、７ａ…別の凸部、Ｄ，ｄ…外径
【図１】
2007197035.tif 000003
【図２】
2007197035.tif 000004
【図３】
2007197035.tif 000005
【図４】
2007197035.tif 000006
【図５】
2007197035.tif 000007
【図６】
2007197035.tif 000008